(57)【要約】【課題】電子黒板装置において、内部メモリに記録されたデータを、特定の者にのみ開示することを可能とすることで、セキュリティー管理を行える電子黒板装置を提供することを目的とする。【解決手段】本発明は、請求項１に記載するように、書き込みシートと、この書き込みシートに書き込まれた筆記画像を読み取る読取り装置と、この読取り装置で読取られた情報を記憶する内部メモリと、この内部メモリに記録された情報を出力するための外部接続端子とを有する電子黒板装置であって、前記外部接続端子に接続される外部メモリであって、前記外部接続端子へ接続される機器への出力の際、出力データを暗号化して出力するデータ暗号化手段を有することを特徴としている。【選択図】図２
2008279743.tif 000002
【特許請求の範囲】
【請求項１】
書き込みシートと、この書き込みシートに書き込まれた筆記画像を読み取る読取り装置と、この読取り装置で読取られた情報を記憶する内部メモリと、この内部メモリに記録された情報を出力するための外部接続端子とを有する電子黒板装置であって、前記外部接続端子に接続される外部メモリであって、前記外部接続端子へ接続される機器への出力の際、出力データを暗号化して出力するデータ暗号化手段を有することを特徴とする電子黒板装置。
【請求項２】
前記外部接続端子は、ＵＳＢ端子であり、外部メモリはＵＳＢメモリであることを特徴とする請求項１項記載の電子黒板装置。
【請求項３】
前記ＵＳＢメモリに、暗号化されたデータを復号する復号鍵を内蔵させたことを特徴とする請求項２項記載の電子黒板装置。
【請求項４】
前記データ暗号化手段は、データを暗号化すると共に、復号鍵を入力することで復号する実行形式の出力ファイルを作成することを特徴とする請求項１項記載の電子黒板装置。
【請求項５】
前記データ暗号化手段によって暗号化されたデータファイルは、別途設けられた復号プログラムを用い、復号鍵を入力することで復号することを特徴とする請求項１項記載の電子黒板装置。
【発明の詳細な説明】
【技術分野】
【０００１】本発明は、電子黒板装置であって、特に外部記憶媒体あるいはパーソナルコンピュータによって、書込み情報を取り出すことが可能な電子黒板装置に関するものである。
【背景技術】
【０００２】電子黒板装置は、白色の書込みシートに、マーカーで文字や図形を記入すると共に、この記入した表面を光学センサーにて画像情報として読み取り、読み取った画像情報を縮小して紙に印刷し、或いは記録する機能を有することを特徴としている。【０００３】特開平６−８３５３９号には、電子黒板装置にメモリーカードを接続し、電子黒板の筆記画像データを外部に取り出すことが可能な電子黒板装置が示されている。
また、特開２０００−４９９９２号には、電子黒板装置をネットワークサーバーに接続し、筆記画像データをそのサーバーに記録するシステムにおいて、そのサーバーに記録された電子黒板装置の画像データをアクセス権を有するもののみに開示する技術が示されている。【０００４】
【特許文献１】特開平６−８３５３９号
【特許文献２】特開２０００−４９９９２号
【発明の開示】
【発明が解決しようとする課題】
【０００５】上記特許文献１では、セキュリティーについて何ら考慮されていないため、電子黒板装置に書き込まれた情報を誰でも取り出すことができる。しかしながら、電子黒板装置の書き込み情報を特定の人にのみ開示したいとの要望がある。
例えば、電子黒板装置の主な用途が、機密に関する会議の過程の書込みである利用者などから、特に要望がある。
上記特許文献２では、電子黒板装置の筆記情報を、一端サーバーに保存して、アクセス権限のあるもののみに情報を開示するのであるため、セキュリティー性を保つことができる。
しかしながら、ＬＡＮへの接続手段、及び通信手段が必要となると共に、セキュリティー性を必要とせず、簡単に外部メモリに情報を保存したいという利用者には、このようなシステムは不便となる。【０００６】これらのセキュリティー重視の機能と、利便性重視の機能を達成するに際し、これらを別々に製品化すると、電子黒板装置の製造コストや、販売、在庫管理が煩雑となる。
このため、簡単にセキュリティー機能を実現することができる電子黒板装置が望まれた。
【課題を解決するための手段】
【０００７】上記課題を解決するため、本発明は、請求項１に記載するように、書き込みシートと、この書き込みシートに書き込まれた筆記画像を読み取る読取り装置と、この読取り装置で読取られた情報を記憶する内部メモリと、この内部メモリに記録された情報を出力するための外部接続端子とを有する電子黒板装置であって、前記外部接続端子に接続される外部メモリであって、前記外部接続端子へ接続される機器への出力の際、出力データを暗号化して出力するデータ暗号化手段を有することを特徴としている。【０００８】更に、前記データ暗号化手段は、データを暗号化すると共に、復号鍵を入力することで復号する実行形式の出力ファイルを作成することを特徴し、或いは、前記データ暗号化手段によって暗号化されたデータファイルは、別途設けられた復号プログラムを用い、復号鍵を入力することで復号することを特徴としている。
この暗号化ファイルを出力データとすることで、簡易にセキュリティ管理を実現するものである。
【発明の効果】
【０００９】本発明によれば、容易に電子黒板装置内のデータを取り出すことが可能となると共に、復号鍵を有しない者は、その暗号データを復号できないため、セキュリティーを確保することが可能となる。
【発明を実施するための最良の形態】
【００１０】以下、本発明を実施するための最良の形態について、図面を参照して詳細に説明する。
【実施例】
【００１１】以下、図に沿って本発明の一実施例を説明する。
図１は本発明の一実施例を示す正面図である。
１は電子黒板本体、２は本体の表面において、マーカーによって書き込みを行う書込みシートであり、３はこの書込みシートの移動指示や、書込みシートの書込み面を捜査し、筆記画像情報の読込みを行う指示、或いは読込んだデータを図示しないプリンタで印刷する指示などを行う操作パネル、４は外部メモリを接続するための接続端子である。
尚、本実施例では、接続端子４は、ユニバーサル・シリアル・バス（ＵＳＢ）端子、外部メモリ５は、ＵＳＢメモリを用いている。【００１２】図２を用いて、本実施例の電子黒板装置の制御部の構成、及び動作について説明する。
６は書込みシート２に書き込まれた文字や絵を本体１の裏面で読み込めるように、書込みシート２の表面を照明するための光源部、７は書込みシート２の記載内容を読み込むレンズと撮像素子で構成された読取装置（イメージスキャナ）である。
８はモータであり、書込みシート２は、画像読込み時に、このモータ８によって、移送される。
９は本実施例装置の動作を制御するＣＰＵであり、１０は読取り装置によって読取られた画像情報を記録する内部メモリ、１１は外部メモリに対して、内部メモリのデータを暗号化して出力する暗号化手段である。１３は内部メモリ１０のデータを図示しないプリンタに出力するためのプリンタ接続端子である。【００１３】操作パネル３によって、コピーを指示するボタンが押されると、ＣＰＵ９の制御信号によりモータ８は駆動され、書込みシート２は、モータ８によって、移送される。
その移送動作に連動して、ＣＰＵ９の制御信号により光源６及び読取り装置７は駆動され、光源部６付近で書込みシートは、この光源部６によって照明され、読取装置７で画像が順次、縦長のライン状に取込まれる。本実施例では、撮像素子として、ＣＣＤラインセンサが用いられている。また、光源部６では、複数の半導体発光素子（ＬＥＤ）が縦長のライン状に配置されたものが用いられている。【００１４】読取り装置７によって、ライン毎に読取られた画像データは、内部メモリ１０で、合成されて１枚の画像データに構成される。
この１枚の画像データは、プリンタ接続端子１３を介して、図示しないプリンターに伝送され、プリンターによって印刷が行われる。【００１５】外部メモリ５が、外部接続端子４に接続されると、内部メモリ１０に記録された画像データは、暗号化手段１１によって暗号化され、外部メモリ５に出力され記録される。
データの暗号化に際しては、共通鍵暗号方式が用いられている。
これは、暗号化鍵と複合化鍵が同一の暗号化方式であり、公開鍵暗号化方式に比べて、高速に暗号化が可能である。
また、暗号化されたデータファイルは、例えばパソコンに読み込んで、この暗号化ファイルをダブルクリックすることで、復号鍵の入力画面が表示され、復号鍵を入力することで自動的に復号される実行形式のファイルである。【００１６】尚、図３に示すように、複数の外部接続端子４を有するインターフェース回路１２を用い、外部メモリ５の他、パーソナルコンピュータ１３を接続する機能を有するものであってもよい。
パソコンを接続した場合、暗号化されたファイルは直接にパソコン１３に読み込まれる。【００１７】尚、特定の外部メモリ５に復号鍵を設定し、この専用外部メモリ５のみが暗号ファイルを復号できるようにしてもよい。
この場合は、復号鍵を秘密に管理でき、また利用者が復号鍵を覚える必要がなくなる。【００１８】また、電子黒板装置の操作パネル３に、通常モードと暗号化モードの選択ボタンを用意してもよい。
この場合は、一般的なセキュリティーとしては問題であるが、例えば、筆記画像情報を外部メモリに記録して保存しておきたい場合に、電子黒板装置内の内部メモリに記録されたデータは、すぐに消去し、外部メモリに記録したデータを、暗号化して保存するといった利用ができる。【００１９】本発明は、上述の実施例に限定されるものではなく、例えば、読取りシート上の書込み画像を読取る方式は、読取りシート表面をスキャナーが移動して読取る方式でもよい。
また、外部メモリは、ＵＳＢメモリに限定されず、種々の異なる方式の例えばＳＤカードであってもよい。【００２０】また、暗号化方式は、暗号化を秘密鍵で行い、復号を公開鍵で行う公開鍵暗号化方式を採用してもよい。
また、暗号化したファイルは自動的に復号する実行形式ではなく、専用のプログラムによってのみ復号が可能なファイルとしてもよい。
尚、暗号化したファイルを復号するに際しては、上述の実行形式ファイルないしは復号専用プログラムに復号鍵を内蔵させ、簡単なパスワードを設定し、このパスワードの入力によって、復号鍵を読み出して、暗号化ファイルの復号を行ってもよい。
【産業上の利用可能性】
【００２１】本発明は、機密情報のセキュリティー管理を必要とする会議室などで利用される電子黒板装置として用いることが可能となる。
【図面の簡単な説明】
【００２２】
【図１】図１は、本発明の実施例の形態に係る主要な構成を示す正面図である。
【図２】図２は、本発明の実施例の制御部に係る構成図である。
【図３】図３は、本発明の第２の実施例の制御部に係る構成図である。
【符号の説明】
【００２３】２：書込みシート
３：操作パネル
４：外部接続端子
５：外部メモリ
１１：暗号化手段
【図１】
2008279743.tif 000003
【図２】
2008279743.tif 000004
【図３】
2008279743.tif 000005